(57)【要約】【課題】意匠性を向上させることができる表示板を提供する。【解決手段】格子を形成する複数の線と、線により形成される複数の内側領域と、を有し、第１方向に関し線、内側領域が交互に配置される模様部を有する表示板であって、母材６１と、母材６１の前面側において、線を形成する線形成層６４と、線形成層６４の前面側において、内側領域を形成する内側領域形成層６５と、内側領域形成層６５の前面側において、少なくとも各内側領域に対応する箇所に形成され、第１方向に沿って密から粗になるようグラデーションを有して形成される第１透明層６８と、第１透明層６８の前面側において、少なくとも各内側領域に対応する箇所であって、各内側領域において第１透明層６８よりも狭い範囲で形成され、第１方向に沿って密から粗になるようグラデーションを有して形成される第２透明層６９と、を備える。【選択図】図４
2020038109.tif 000002
【特許請求の範囲】
【請求項１】
格子を形成する複数の線と、前記線により形成される複数の内側領域と、を有し、第１方向に関し前記線、前記内側領域が交互に配置される模様部を有する表示板であって、
母材と、
前記母材の前面側において、前記線を形成する線形成層と、
前記線形成層の前面側において、前記内側領域を形成する内側領域形成層と、
前記内側領域形成層の前面側において、少なくとも各前記内側領域に対応する箇所に形成され、前記第１方向に沿って密から粗になるようグラデーションを有して形成される第１透明層と、
前記第１透明層の前面側において、少なくとも各前記内側領域に対応する箇所であって、各前記内側領域において前記第１透明層よりも狭い範囲で形成され、前記第１方向に沿って密から粗になるようグラデーションを有して形成される第２透明層と、を備える表示板。
【請求項２】
前記第２透明層は、前記第１透明層と異なる艶感を有する材料により形成される、請求項１に記載の表示板。
【請求項３】
前記第１透明層及び前記第２透明層は、前記第１方向に関し前記線部分が最も密になり、前記線から前記内側領域にかけて粗になるよう形成される、請求項１に記載の表示板。
【請求項４】
前記内側領域形成層と前記第１透明層の間において、少なくとも前記模様部上に形成される第３透明層を更に備える、請求項１に記載の表示板。
【請求項５】
前記線形成層の前面側において、前記線形成層の色彩とは異なる色彩で各前記線に対応する箇所に形成され、第２方向に沿って密から粗になるようグラデーションを有して形成される線グラデーション形成層を更に備える、請求項１から４のいずれか一項に記載の表示板。
【発明の詳細な説明】
【技術分野】
【０００１】
本発明は、車両等に搭載される表示装置の表示板に関する。
【背景技術】
【０００２】
自動車等の車両には、速度計、エンジン回転数計等の運転に必要な情報を表示する表示装置が搭載されている。表示装置は、表示板を有する。表示板は、透過性の基板に、目盛、文字、数字、記号等の意匠、背景となる模様や地色を、例えばスクリーン印刷により印刷することにより製造されるのが一般的である。
【先行技術文献】
【特許文献】
【０００３】
【特許文献１】特開２０１０−２１６９４１号公報
【発明の概要】
【発明が解決しようとする課題】
【０００４】
今日のデザインの多様化に伴い、表示板の背景となる模様に応じた立体感を付与することが求められる場合がある。しかし、これまでの表示板は、単に単層の艶なしや艶ありのオーバーコート層（透明層）を表示板全面に亘って有することが一般的であり、表示板の模様に立体感を持たせるには不十分であった。
【０００５】
本発明はこのような事情を考慮してなされたもので、意匠性を向上させることができる表示板を提供することを目的とする。
【課題を解決するための手段】
【０００６】
本発明に係る表示板は、上述した課題を解決するために、格子を形成する複数の線と、前記線により形成される複数の内側領域と、を有し、第１方向に関し前記線、前記内側領域が交互に配置される模様部を有する表示板であって、母材と、前記母材の前面側において、前記線を形成する線形成層と、前記線形成層の前面側において、前記内側領域を形成する内側領域形成層と、前記内側領域形成層の前面側において、少なくとも各前記内側領域に対応する箇所に形成され、前記第１方向に沿って密から粗になるようグラデーションを有して形成される第１透明層と、前記第１透明層の前面側において、少なくとも各前記内側領域に対応する箇所であって、各前記内側領域において前記第１透明層よりも狭い範囲で形成され、前記第１方向に沿って密から粗になるようグラデーションを有して形成される第２透明層と、を備える。
【発明の効果】
【０００７】
本発明に係る表示板においては、意匠性を向上させることができる。
【図面の簡単な説明】
【０００８】
【図１】本発明に係る表示板の一実施形態である表示板を有する表示装置を示す正面図。
【図２】図１のII−II線に沿う断面図。
【図３】図１のIII−III線に沿う断面図であり、特に表示板を示す断面図。
【図４】図３の領域IVの拡大図。
【図５】図１のV−V線に沿う断面図であり、特に表示板を示す断面図。
【図６】視認者に視認された場合の模様部の説明図。
【発明を実施するための形態】
【０００９】
本発明に係る表示板の実施形態を添付図面に基づいて説明する。本発明に係る表示板は、例えば自動車や二輪車等の車両や、船舶、農業機械、建設機械に搭載される。本実施形態においては、本発明に係る表示板が、速度計を有する自動車用の表示装置の表示板である例を用いて説明する。
【００１０】
図１は、本発明に係る表示板の一実施形態である表示板１０を有する表示装置１を示す正面図である。
図２は、図１のII−II線に沿う断面図である。
図３は、図１のIII−III線に沿う断面図であり、特に表示板１０を示す断面図である。
【００１１】
以下の説明において、「前（前面）」、「後（背面）」、「上」、「下」、「右」、及び「左」は、図１から図３、及び後述する図５における図中の定義「Ｆｒ．」、「Ｒｅ．」、「Ｔｏ．」、「Ｂｏ．」、「Ｒ」、及び「Ｌ」に従う。
【００１２】
表示装置１は、速度計３を有する。速度計３（計器）は、車両の速度を表示する指針式計器である。表示装置１は、指針２０と、表示板１０と、回路基板３０と、ケース４０と、見返し部材５０と、を主に有する。
【００１３】
指針２０は、指針基部２１を介して回路基板３０上の指針駆動部３２に接続される。指針２０は、表示板１０の面に平行する面上を回転することにより、速度に対応する表示板１０の目盛１１を指し示す。
【００１４】
表示板１０は、回路基板３０の前側、且つ指針２０の後側において、中ケース４２上に支持される。表示板１０は、母材６１と、母材６１に積層された複数の層６２〜６９と、を有する。母材６１及び母材６１に積層された複数の層６２〜６９の詳細については、後述する。
【００１５】
回路基板３０は、複数の光源３１と、指針駆動部３２と、光源３１や指針駆動部３２のドライバ等を含む制御部と、を主に有する。回路基板３０は、下ケース４１及び中ケース４２により支持される。
【００１６】
光源３１は、回路基板３０の前面３０ａに設けられる。光源３１は、例えばトップビュー型（上面発光型）のＬＥＤ（Light Emitting Diode）である。光源３１は、表示装置１の意匠の数及び位置に応じて、複数個設けられる。
【００１７】
指針駆動部３２は、指針軸３３を介して指針２０（指針基部２１）と接続されており、入力された車両の走行速度に応じて指針２０を回転させる。
【００１８】
制御部は、ＣＰＵ（Central Processing Unit）、ＲＯＭ（Read Only Memory）、ＲＡＭ（Random Access Memory）等を有し、例えば、ＲＯＭに書き込まれたプログラムに従って所定の演算処理を実行する。制御部は、例えば、車両のＥＣＵ（Electronic Control Unit）から各種車両情報を取得する。制御部は、取得した情報に基づき、光源３１を点灯させたり、指針駆動部３２を駆動したりする。
【００１９】
ケース４０は、下ケース４１と、中ケース４２と、を有する。
【００２０】
下ケース４１は、回路基板３０の後側を覆い、見返し部材５０と嵌合し表示装置１の外形を形成する。下ケース４１は、遮光性の樹脂（例えば黒色ポリプロピレン）である。
【００２１】
中ケース４２は、遮光性の樹脂（例えば白色のポリプロピレン）であり、下ケース４１の内部で回路基板３０を支持する。中ケース４２は、各光源３１を囲い区画４６を形成する仕切壁４５を有する。仕切壁４５は、光源３１の照明（発光）領域を区切る後から前に延びた筒状の壁であり、光源３１の光はこの区画４６を後側から前側に向って通る。仕切壁４５は、基板側開口端４７と、表示板側開口端４８と、を有する。基板側開口端４７は、後側に位置する開口端であり、回路基板３０と接する。表示板側開口端４８は、前側に位置する開口端であり、表示板１０と接する。
【００２２】
見返し部材５０は、遮光性の樹脂（例えば黒色のポリプロピレン樹脂）であり、表示板１０の前面側に配置される。見返し部材５０は、表示板１０の表示領域以外を遮光する。見返し部材５０は、透光性の樹脂材料からなるカバー５１が取り付けられる開口５２を有する。
【００２３】
次に、表示板１０の詳細について説明する。
【００２４】
図４は、図３の領域IVの拡大図である。
図５は、図１のV−V線に沿う断面図であり、特に表示板を示す断面図である。
【００２５】
表示板１０は、後側から前側に向って、母材６１と、意匠層６２と、遮光層６３と、線形成層６４と、内側領域形成層６５と、線グラデーション形成層６６と、第１オーバーコート層６７と、第２オーバーコート層６８と、第３オーバーコート層６９と、を有する。
【００２６】
表示板１０は、これら層を有することにより、図１に示すように、特に正円形の模様部７０を形成する。模様部７０は、格子７１を形成する複数の線７２と、線７２により形成される複数の内側領域７３と、を有する。格子７１は、左右方向に延びた横の線７２ａと、上下方向に延びた縦の線７２ｂとが直角に交わることにより形成され、内側領域７３は四角形状に形成される。本実施形態においては、下から上方向を特に第１方向として、この第１方向に関し線７２、内側領域７３が交互に配置される。
【００２７】
母材６１は、透過性（透光性）を有する樹脂（例えばポリカーボネート樹脂）からなる板状部材である。
【００２８】
意匠層６２は、白色の透光性インキで印刷される。意匠層６２は、目盛１１、数字・文字１２等の意匠が設けられる、光源３１の光を透過させる箇所に少なくとも形成される。すなわち、意匠層６２は、目盛１１、数字・文字１２等の意匠の色彩を表現する。
【００２９】
遮光層６３は、黒色の遮光性インキで印刷される。遮光層６３は、意匠部分を抜き文字状にして形成される。これにより、遮光層６３は、意匠においては光源３１の光を透過させ、それ以外の領域を遮光する。
【００３０】
線形成層６４は、母材６１の前面側において、線７２を形成する層である。線形成層６４は、グレー色のインキで印刷された印刷層である。線形成層６４は、模様部７０の線７２が設けられる箇所に少なくとも形成される。すなわち、線形成層６４は、線７２の色彩を表現する。
【００３１】
内側領域形成層６５は、線形成層６４の前面側において、四角形の内側領域７３を形成する層である。内側領域形成層６５は、遮光層６３と同様の黒色のインキで印刷される。これにより、内側領域形成層６５が形成されない領域は、線形成層６４が露出し、グレー色の線７２が表現される。
【００３２】
線グラデーション形成層６６は、線形成層６４の前面側において、線形成層６４の色彩とは異なる色彩で各線７２に対応する箇所に形成される。具体的には、線グラデーション形成層６６は、内側領域形成層６５と同様の黒色のインキで印刷され、内側領域形成層６５と同一工程で形成される。線グラデーション形成層６６は、図５に示すように、第２方向に沿って密から粗になるようグラデーション７５を有して形成される。本実施形態においては、模様部７０の周縁７０ａから中心に向う方向を第２方向とする。
【００３３】
第１オーバーコート層６７（第３透明層）は、内側領域形成層６５と第２オーバーコート層６８（第１透明層）の間において、少なくとも模様部７０上に形成される。第１オーバーコート層６７は、艶なしの透明インキで印刷される。第１オーバーコート層６７は、表示板１０全体に形成され、表示板１０の表面を保護するのが好ましい。
【００３４】
第２オーバーコート層６８（第１透明層）は、第１オーバーコート層６７（内側領域形成層６５）の前面側において、各線７２及び各内側領域７３に対応する箇所に形成される。第２オーバーコート層６８は、艶なしの透明インキであって、第１オーバーコート層６７のインキよりも艶感を有するインキにより印刷される。すなわち、第１オーバーコート層６７のインキの艶消し度が、第２オーバーコート層６８のインキの艶消し度よりも高い。第２オーバーコート層６８は、図１及び図４に示すように、第１方向に沿って、密から粗になるようグラデーション７６を有して形成される。
【００３５】
具体的には、第２オーバーコート層６８は、第１方向に関し線７２部分が最も密になり（図４の断面において、第１方向に沿う幅が大きくなり）、線７２から内側領域７３にかけて粗になる（第１方向に沿う幅が小さくなる）よう形成される。本実施形態においては、線７２全体に第２オーバーコート層６８ａを形成し（ベタ塗りし）、各内側領域７３には幅の異なる４本の筋状の第２オーバーコート層６８ｂを形成した。第２オーバーコート層６８においては、線７２及び内側領域７３の第１方向に関する繰り返しに伴い、このような粗密が繰り返し表れる。
【００３６】
第３オーバーコート層６９（第２透明層）は、第２オーバーコート層６８の前面側において、各線７２及び各内側領域７３に対応する箇所に形成される。第３オーバーコート層６９は、艶ありの透明インキであって、第２オーバーコート層６８のインキよりも艶感を有するインキにより印刷される。すなわち、第２オーバーコート層６８のインキの艶消し度が、第３オーバーコート層６９のインキの艶消し度よりも高い。第３オーバーコート層６９は、第２オーバーコート層６８同様、第１方向に沿って、密から粗になるようグラデーション７７を有して形成される。また、第３オーバーコート層６９は、各内側領域７３において第２オーバーコート層６８よりも狭い範囲で形成される。
【００３７】
具体的には、第３オーバーコート層６９は、第１方向に関し線７２部分が最も密になり、線７２から内側領域７３にかけて粗になるよう形成される。本実施形態においては、線７２にベタ塗りされた第２オーバーコート層６８ａよりも小さい幅で第３オーバーコート層６９ａを形成し、各内側領域７３には第２オーバーコート層６８ｂよりも小さい幅であり、幅の異なる第２オーバーコート層６８ｂよりも少ない本数である２本の筋状の第３オーバーコート層６９ｂを形成した。第３オーバーコート層６９は、線７２及び内側領域７３の第１方向に関する繰り返しに伴い、このような粗密が繰り返し表れる。
【００３８】
このような本実施形態における表示板１０は、各内側領域７３に、第２オーバーコート層６８及び第３オーバーコート層６９の２層からなる透明層をグラデーション７６、７７を有して形成した。これにより、格子状の模様部７０に立体感が生まれ、意匠性を向上させることができる。また、第１オーバーコート層６７、第２オーバーコート層６８、及び第３オーバーコート層６９のインキを、光の反射の強弱を異ならせるよう、艶感を異ならせた。これにより、光の反射が階段状になり、表示板１０はより立体感を有することができる。特に、最前面の第３オーバーコート層６９のインキを、最も光の反射の強い艶ありの透明インキにした。これにより、最前面の光の反射が際立ち、表示板１０は更に立体感を有することができる。
【００３９】
また、表示板１０は、正円形の模様部７０の周縁７０ａから中心に向って線グラデーション形成層６６でグラデーション７５を形成した。このため、視認者に対しては、模様部７０が例えば図６に示すような曲面であるかのように視認させることができ、表示板１０は更に立体感を有することができる。更に、線グラデーション形成層６６による線７２のグラデーション７５と、第２オーバーコート層６８及び第３オーバーコート層６９の内側領域７３のグラデーション７６、７７との相乗効果により、内側領域７３がディンプルのような凹み７８であるかのように、視認させることができる。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【００４１】
例えば、格子は、直交する２方向に延びた複数の線により形成される場合に限らず、曲線により形成されてもよい。また、模様部は、鰐皮模様、畳模様、鱗模様、四角以外の多角形模様であってもよい。
【００４２】
グラデーションの方向としての第１方向及び第２方向は、上述した一例に限らない。第１方向と第２方向が、同一方向であってもよい。
【００４３】
上述した線形成層６４や内側領域形成層６５の色は一例であって、これに限らない。
【００４４】
内側領域のグラデーションは、少なくとも内側領域に対応する箇所に形成されていればよく、線に対応する箇所については必須ではない。また、グラデーション７５（線グラデーション形成層６６）は必須ではなく、線７２部分はベタ塗りであってもよい。
【００４５】
上述した第１から第３オーバーコート層６７〜６９の艶感の相対関係は、上述したものに限らず、模様部の視覚的効果に応じて設定されればよい。
【符号の説明】
【００４６】
１  表示装置
３  速度計
１０  表示板
１１  目盛
１２  数字・文字
２０  指針
２１  指針基部
３０  回路基板
３０ａ  前面
３１  光源
３２  指針駆動部
３３  指針軸
４０  ケース
４１  下ケース
４２  中ケース
４５  仕切壁
４６  区画
４７  基板側開口端
４８  表示板側開口端
５０  見返し部材
５１  カバー
５２  開口
６１  母材
６２  意匠層
６３  遮光層
６４  線形成層
６５  内側領域形成層
６６  線グラデーション形成層
６７  第１オーバーコート層
６８、６８ａ、６８ｂ  第２オーバーコート層
６９、６９ａ、６９ｂ  第３オーバーコート層
７０  模様部
７０ａ  周縁
７１  格子
７２、７２ａ、７２ｂ  線
７３  内側領域
７５、７６、７７  グラデーション
７８  凹み
【図１】
2020038109.tif 000003
【図２】
2020038109.tif 000004
【図３】
2020038109.tif 000005
【図４】
2020038109.tif 000006
【図５】
2020038109.tif 000007
【図６】
2020038109.tif 000008